(57)【要約】【課題】受験者（利用者）が再申請を忘れた場合でも、再申請に関する通知案内を送信可能にする。【解決手段】試験に関する通知案内を利用者に送信する通知案内サーバ５と、前記試験の受験継続条件及び資格認定対象条件と、前記利用者の科目合格情報とを保持する科目合格者情報保有サーバ４と、を備える通知案内システムであって、前記通知案内サーバ５は、前記科目合格者情報保有サーバ４に前記通知案内の送信対象となる前記利用者を含む通知案内対象情報一覧を要求し、前記科目合格者情報保有サーバ４は、前記受験継続条件及び前記資格認定対象条件を満たす前記利用者を含む前記通知案内対象情報一覧を前記通知案内サーバ５に送信し、前記通知案内サーバ５は、前記通知案内対象情報一覧に含まれる前記利用者に前記通知案内を送信する、通知案内システム。【選択図】図１
2014021844.tif 000002
【特許請求の範囲】
【請求項１】
試験に関する通知案内を利用者に送信する通知案内サーバと、
前記試験の受験継続条件及び資格認定対象条件と、前記利用者の科目合格情報とを保持する科目合格者情報保有サーバと、を備える通知案内システムであって、
前記通知案内サーバは、前記科目合格者情報保有サーバに前記通知案内の送信対象となる前記利用者を含む通知案内対象情報一覧を要求し、
前記科目合格者情報保有サーバは、前記受験継続条件及び前記資格認定対象条件を満たす前記利用者を含む前記通知案内対象情報一覧を前記通知案内サーバに送信し、
前記通知案内サーバは、前記通知案内対象情報一覧に含まれる前記利用者に前記通知案内を送信する、通知案内システム。
【請求項２】
前記通知案内サーバにおける前記利用者のＩＤと、前記科目合格者情報保有サーバにおける前記利用者のＩＤとを管理するＩＤ変換サーバを備え、
前記通知案内サーバは、前記ＩＤ変換サーバにより、前記通知案内対象情報一覧に含まれる前記利用者のＩＤを自サーバにおけるＩＤに変換する、請求項１に記載の通知案内システム。
【請求項３】
前記科目合格者情報保有サーバは、前記受験継続条件及び前記資格認定対象条件を満たす前記利用者のＩＤを前記ＩＤ変換サーバに送信し、
前記ＩＤ変換サーバは、前記科目合格者情報保有サーバに対してＩＤ変換受付ＩＤを送信し、
前記科目合格者情報保有サーバは、前記通知案内対象情報一覧を前記通知案内サーバに送信する際、前記ＩＤ変換受付ＩＤを前記通知案内サーバに送信し、
前記通知案内サーバは、前記ＩＤ変換サーバに前記ＩＤ変換受付ＩＤを送信することにより、前記通知案内対象情報一覧に含まれる前記利用者のＩＤを自サーバにおけるＩＤに変換する、請求項２に記載の通知案内システム。
【請求項４】
試験に関する通知案内を利用者に送信する通知案内サーバと、
前記試験の受験継続条件及び資格認定対象条件と、前記利用者の科目合格情報とを保持する科目合格者情報保有サーバと、を備える通知案内システムにおける通知案内方法であって、
前記通知案内サーバが、前記科目合格者情報保有サーバに前記通知案内の送信対象となる前記利用者を含む通知案内対象情報一覧を要求するステップと、
前記科目合格者情報保有サーバが、前記受験継続条件及び前記資格認定対象条件を満たす前記利用者を含む前記通知案内対象情報一覧を前記通知案内サーバに送信する送信ステップと、
前記通知案内サーバが、前記通知案内対象情報一覧に含まれる前記利用者に前記通知案内を送信するステップと、を含む通知案内方法。
【請求項５】
前記通知案内システムは、前記通知案内サーバにおける前記利用者のＩＤと、前記科目合格者情報保有サーバにおける前記利用者のＩＤとを管理するＩＤ変換サーバを備え、
前記通知案内サーバが、前記ＩＤ変換サーバにより、前記通知案内対象情報一覧に含まれる前記利用者のＩＤを自サーバにおけるＩＤに変換する変換ステップをさらに含む、請求項４に記載の通知案内方法。
【請求項６】
前記科目合格者情報保有サーバが、前記受験継続条件及び前記資格認定対象条件を満たす前記利用者のＩＤを前記ＩＤ変換サーバに送信するステップと、
前記ＩＤ変換サーバが、前記科目合格者情報保有サーバに対してＩＤ変換受付ＩＤを送信するステップと、を含み、
前記科目合格者情報保有サーバが、前記送信ステップにおいて、前記通知案内対象情報一覧を前記通知案内サーバに送信する際、前記ＩＤ変換受付ＩＤを前記通知案内サーバに送信し、
前記通知案内サーバが、前記変換ステップにおいて、前記ＩＤ変換サーバに前記ＩＤ変換受付ＩＤを送信することにより、前記通知案内対象情報一覧に含まれる前記利用者のＩＤを自サーバにおけるＩＤに変換する、請求項５に記載の通知案内方法。
【発明の詳細な説明】
【技術分野】
【０００１】
この発明は、通知案内システム及び通知案内方法に関し、特に、受験資格の再申請漏れを防止する通知案内システム及び通知案内方法に関する。
【背景技術】
【０００２】
ユーザが再受験する場合や提出書類の重なる受験をする場合に、ユーザからの依頼で、同じ証明書などの書類を再提出する手間を省いたり、必要書類を満たしているかを的確に通知する仕組みが提供されてきた（例えば、特許文献１参照）。
【０００３】
特許文献１に記載の仕組みでは、ユーザが、公開されているサーバに個人情報および受験内容を問い合わせることで該当するサービス情報を通知している。
【先行技術文献】
【特許文献】
【０００４】
【特許文献１】特開２００６−２４３８１３号公報
【発明の概要】
【発明が解決しようとする課題】
【０００５】
従来の技術では、サービス提供者を行政機関や公共機関、ユーザを受験者とすると、受験者は、取得したい資格の再受験情報を収集したい場合、行政機関や公共機関のホームページまたは、各機関の窓口で、各種申請の方法を確認し、当該サービスを申請する方法が考えられるが、受験者が各機関との間を複数回往復しなければならない。また、複数回提供可能な再受験情報によっては、受験者が再受験情報を確認したうえで、改めて申請する必要がある。
【０００６】
受験者が、取得したい資格の再受験情報を享受したい場合、常に行政機関および公共機関の再受験情報を把握し、事前に申請方法を確認して再申請しない限り、再申請漏れのリスクを抑えることができない。
【０００７】
したがって、かかる点に鑑みてなされた本発明の目的は、受験者（利用者）が再申請を忘れた場合でも、再申請に関する通知案内を送信可能な通知案内システム及び通知案内方法を提供することである。
【課題を解決するための手段】
【０００８】
上述した諸課題を解決すべく、本発明に係る通知案内システムは、試験に関する通知案内を利用者に送信する通知案内サーバと、前記試験の受験継続条件及び資格認定対象条件と、前記利用者の科目合格情報とを保持する科目合格者情報保有サーバと、を備える通知案内システムであって、前記通知案内サーバは、前記科目合格者情報保有サーバに前記通知案内の送信対象となる前記利用者を含む通知案内対象情報一覧を要求し、前記科目合格者情報保有サーバは、前記受験継続条件及び前記資格認定対象条件を満たす前記利用者を含む前記通知案内対象情報一覧を前記通知案内サーバに送信し、前記通知案内サーバは、前記通知案内対象情報一覧に含まれる前記利用者に前記通知案内を送信する。
【０００９】
また、前記通知案内サーバにおける前記利用者のＩＤと、前記科目合格者情報保有サーバにおける前記利用者のＩＤとを管理するＩＤ変換サーバを備え、前記通知案内サーバは、前記ＩＤ変換サーバにより、前記通知案内対象情報一覧に含まれる前記利用者のＩＤを自サーバにおけるＩＤに変換する、ことが望ましい。
【００１０】
また、前記科目合格者情報保有サーバは、前記受験継続条件及び前記資格認定対象条件を満たす前記利用者のＩＤを前記ＩＤ変換サーバに送信し、前記ＩＤ変換サーバは、前記科目合格者情報保有サーバに対してＩＤ変換受付ＩＤを送信し、前記科目合格者情報保有サーバは、前記通知案内対象情報一覧を前記通知案内サーバに送信する際、前記ＩＤ変換受付ＩＤを前記通知案内サーバに送信し、前記通知案内サーバは、前記ＩＤ変換サーバに前記ＩＤ変換受付ＩＤを送信することにより、前記通知案内対象情報一覧に含まれる前記利用者のＩＤを自サーバにおけるＩＤに変換する、ことが望ましい。
【００１１】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１２】
例えば、本発明に係る通知案内方法は、試験に関する通知案内を利用者に送信する通知案内サーバと、前記試験の受験継続条件及び資格認定対象条件と、前記利用者の科目合格情報とを保持する科目合格者情報保有サーバと、を備える通知案内システムにおける通知案内方法であって、前記通知案内サーバが、前記科目合格者情報保有サーバに前記通知案内の送信対象となる前記利用者を含む通知案内対象情報一覧を要求するステップと、前記科目合格者情報保有サーバが、前記受験継続条件及び前記資格認定対象条件を満たす前記利用者を含む前記通知案内対象情報一覧を前記通知案内サーバに送信する送信ステップと、前記通知案内サーバが、前記通知案内対象情報一覧に含まれる前記利用者に前記通知案内を送信するステップと、を含む。
【００１３】
また、前記通知案内システムは、前記通知案内サーバにおける前記利用者のＩＤと、前記科目合格者情報保有サーバにおける前記利用者のＩＤとを管理するＩＤ変換サーバを備え、前記通知案内サーバが、前記ＩＤ変換サーバにより、前記通知案内対象情報一覧に含まれる前記利用者のＩＤを自サーバにおけるＩＤに変換する変換ステップをさらに含むことが望ましい。
【００１４】
また、前記科目合格者情報保有サーバが、前記受験継続条件及び前記資格認定対象条件を満たす前記利用者のＩＤを前記ＩＤ変換サーバに送信するステップと、前記ＩＤ変換サーバが、前記科目合格者情報保有サーバに対してＩＤ変換受付ＩＤを送信するステップと、を含み、前記科目合格者情報保有サーバが、前記送信ステップにおいて、前記通知案内対象情報一覧を前記通知案内サーバに送信する際、前記ＩＤ変換受付ＩＤを前記通知案内サーバに送信し、前記通知案内サーバが、前記変換ステップにおいて、前記ＩＤ変換サーバに前記ＩＤ変換受付ＩＤを送信することにより、前記通知案内対象情報一覧に含まれる前記利用者のＩＤを自サーバにおけるＩＤに変換する、ことが望ましい。
【発明の効果】
【００１５】
本発明に係る通知案内システム及び通知案内方法によれば、受験者（利用者）が再申請を忘れた場合でも、再申請に関する通知案内を送信することが可能となる。
【図面の簡単な説明】
【００１６】
【図１】本発明の一実施形態に係る通知案内システムの構成を示す図である。
【図２】資格情報テーブルの一例を示す図である。
【図３】受験継続条件テーブルの一例を示す図である。
【図４】法制度情報テーブルの一例を示す図である。
【図５】資格認定対象条件テーブルの一例を示す図である。
【図６】科目合格者情報テーブルの一例を示す図である。
【図７】受験対象比較処理許可情報テーブルの一例を示す図である。
【図８】資格情報テーブルの一例を示す図である。
【図９】受験継続条件テーブルの一例を示す図である。
【図１０】対象区分変換テーブルの一例を示す図である。
【図１１】資格情報テーブルの一例を示す図である。
【図１２】受験継続条件テーブルの一例を示す図である。
【図１３】通知案内対象者情報テーブルの一例を示す図である。
【図１４】通知案内情報テーブルの一例を示す図である。
【図１５】ＩＤ変換受付テーブルの一例を示す図である。
【図１６】ＩＤ変換テーブルの一例を示す図である。
【図１７】サーバＩＤ変換テーブルの一例を示す図である。
【図１８】通知案内システムの事前処理のシーケンスである。
【図１９】通知案内システムの処理シーケンスである。
【図２０】通知案内システムの処理シーケンスである。
【発明を実施するための形態】
【００１７】
以降、諸図面を参照しながら、本発明の実施態様を詳細に説明する。
【００１８】
図１は、本発明の一実施形態にかかる通知案内システムの構成を示す図である。通知案内システムは、科目合格者端末１１と、管理端末１２と、資格情報提供サーバ２と、法制度情報提供サーバ３と、科目合格者情報保有サーバ４と、通知案内サーバ５と、ＩＤ変換サーバ６とを備え、科目合格者端末１１及び各サーバ（２〜６）は、ネットワークに接続され相互に通信可能である。また、管理端末１２は、科目合格者情報保有サーバ４に接続されている。なお、各端末（１１、１２）及び各サーバ（２〜６）の数は１台に限られず、複数台とすることも可能である。
【００１９】
科目合格者端末１１は、科目合格者の操作により、資格情報の取得および資格再申請のための通知案内の受取または取り消しをするために科目合格者情報保有サーバ４および通知案内サーバ５にアクセスするための機能を持つ。
【００２０】
管理端末１２は、管理者などの操作により、科目合格者に関する情報を科目合格者情報保有サーバ４に登録する機能を持つ。
【００２１】
資格情報提供サーバ２は、受験継続条件テーブル２１と、資格情報テーブル２２と、制御部２３と、通信部２４とを備え、制御部２３は、資格情報／受験継続条件要求部２３１と、資格情報／受験継続条件抽出部２３２と、資格情報／受験継続条件送信部２３３とを備える。
【００２２】
図２は、資格情報テーブルの一例を示す図である。資格情報テーブル２２には、通知案内サーバ５を介して、科目合格者に通知案内するための資格情報（資格ＩＤ、資格情報、科目ＩＤ、科目情報、施行年月日）が保管される。
【００２３】
図３は、受験継続条件テーブルの一例を示す図である。受験継続条件テーブル２１には、通知案内対象の情報（資格ＩＤ、科目ＩＤ、再受験可否、受験有効期間（月）、受験有効回数、科目合格数）が保管されている。
【００２４】
資格情報／受験継続条件要求部２３１は、再申請を必要とする資格に関する法制度情報および資格認定対象条件を法制度情報提供サーバ３から取得する機能を持つ。また、法制度情報提供サーバ３から取得した法制度情報および資格認定対象条件の内容と自サーバ内の資格情報テーブル２２および受験継続条件テーブル２１の内容と比較し、最新の情報に更新する機能を持つ。
【００２５】
資格情報／受験継続条件抽出部２３２は、資格に関する情報およびその詳細情報、科目合格者が受信する受験継続のための条件などの情報を資格情報テーブル２２、受験継続条件テーブル２１から抽出する機能を持つ。
【００２６】
資格情報／受験継続条件送信部２３３は、通知案内サーバ５および科目合格者情報保有サーバ４からの要求に対して、資格に関する情報およびその詳細情報、科目合格者が受験継続のために必要とする条件を送信する機能を持つ。
【００２７】
通信部２４は、ネットワークを通じて通信を行う機能を持つ。
【００２８】
法制度情報提供サーバ３は、法制度情報テーブル３１と、資格認定対象条件テーブル３２と、制御部３３と、通信部３４とを備え、制御部３３は、法制度情報／資格認定対象条件要求受付部３３１と、法制度情報／資格認定対象条件抽出部３３２と、法制度情報／資格認定対象条件送信部３３３とを備える。
【００２９】
図４は、法制度情報テーブルの一例を示す図である。法制度情報テーブル３１には、資格情報提供サーバ２が保持している資格情報を更新するための法制度情報（資格ＩＤ、資格情報、科目ＩＤ、科目情報、施行年月日）が保管されている。
【００３０】
図５は、資格認定対象条件テーブルの一例を示す図である。資格認定対象条件テーブル３２には、資格情報提供サーバ２が保持している受験継続条件を更新するための資格取得のための条件（資格ＩＤ、科目ＩＤ、再受験可否、受験有効期間（月）、受験有効回数、科目合格数）が保管されている。
【００３１】
法制度情報／資格認定対象条件要求受付部３３１は、資格情報提供サーバ２からの再申請を必要とする資格に関する法制度情報および資格認定対象条件の要求を受付ける機能を持つ。
【００３２】
法制度情報／資格認定対象条件抽出部３３２は、資格に関する法制度情報および資格認定のための対象条件などの情報を法制度情報テーブル３１、資格認定対象条件テーブル３２から抽出する機能を持つ。
【００３３】
法制度情報／資格認定対象条件送信部３３３は、通知案内サーバ５および科目合格者情報保有サーバ４からの要求に対して、資格に関する法制度情報および資格認定のための対象条件などの情報を送信する機能を持つ。
【００３４】
通信部３４は、ネットワークを通じて通信を行う機能を持つ。
【００３５】
科目合格者情報保有サーバ４は、科目合格者情報テーブル４１と、受験対象比較処理許可情報テーブル４２と、資格情報テーブル４３と、受験継続条件テーブル４４と、対象区分変換テーブル４５と、制御部４６と、通信部４７とを備え、制御部４６は、科目合格者情報取得部４６１と、受験対象比較処理許可情報取得部４６２と、資格情報／受験継続条件要求部４６３と、通知案内対象情報抽出部４６４と、ＩＤ変換要求部４６５と、通知案内対象条件一致資格取得者一覧送信部４６６とを備える。
【００３６】
図６は、科目合格者情報テーブルの一例を示す図である。科目合格者情報テーブル４１には、管理端末１２から入力された資格再申請の通知案内を希望する科目合格者ＩＤ、資格ＩＤ、科目ＩＤ、氏名、年齢、性別、住所、科目合格した受験日、科目合格有無、有効受験回数が登録される。
【００３７】
図７は、受験対象比較処理許可情報テーブルの一例を示す図である。受験対象比較処理許可情報テーブル４２には、科目合格者端末１１から登録された科目合格者ＩＤ、属性項目（資格ＩＤ、科目ＩＤ、氏名、年齢、住所、科目合格した受験日、科目合格有無、有効受験回数）、処理許可フラグ（有、無）が保管されている。
【００３８】
図８は、資格情報テーブルの一例を示す図である。資格情報テーブル４３には、資格情報提供サーバ２から取得した資格情報（資格情報提供サーバ２のサーバＩＤ、資格ＩＤ、資格情報、科目ＩＤ、科目情報、施行年月日）が保管される。
【００３９】
図９は、受験継続条件テーブルの一例を示す図である。受験継続条件テーブル４４には、通知案内対象となる情報（資格情報提供サーバ２のサーバＩＤ、資格ＩＤ、科目ＩＤ、再申請可否、受験有効期間（月）、受験有効回数、科目合格数）が保管される。
【００４０】
図１０は、対象区分変換テーブルの一例を示す図である。対象区分変換テーブル４５には、通知案内対象情報抽出部４６４により、受験対象比較処理許可情報テーブル４２と科目合格者情報テーブル４１、受験継続条件テーブル４４の内容が参照・抽出され、通知案内サーバ５が資格の再申請条件と一致する通知案内対象者を検索するための一覧（科目合格者ＩＤ、資格ＩＤ、科目ＩＤ、再受験可否）が保管される。
【００４１】
科目合格者情報取得部４６１は、管理端末１２から入力された科目合格者（受験の再申請を行おうとする者）の情報（科目合格者ＩＤ、資格ＩＤ、科目ＩＤ、氏名、年齢、性別、住所、科目合格した受験日、科目合格有無、有効受験回数などの属性情報）を科目合格者情報テーブル４１に登録する機能を持つ。
【００４２】
受験対象比較処理許可情報取得部４６２は、科目合格者端末１１より入力された資格再申請の通知案内情報の抽出処理に必要となる属性情報の使用可否を、受験対象比較処理許可情報テーブル４２に登録する機能を持つ。
【００４３】
資格情報／受験継続条件要求部４６３は、資格に関する情報およびその詳細情報、科目合格者が受信する受験継続のための条件などの情報を資格情報提供サーバ２から取得する機能を持つ。
【００４４】
通知案内対象情報抽出部４６４は、通知案内サーバ５からの通知案内対象条件に一致する科目合格者情報一覧と、再申請可能な対象者の変換後ＩＤ情報を提供するために、科目合格者情報テーブル４１および受験対象比較処理許可情報テーブル４２の情報と、資格情報提供サーバ２から取得した資格情報および受験継続条件を抽出する機能を持つ。
【００４５】
ＩＤ変換要求部４６５は、通知案内サーバ５からの通知案内対象情報一覧要求に対して、通知案内対象情報（科目合格者ＩＤ、資格ＩＤ、科目ＩＤ、再受験可否）とＩＤ変換のためにＩＤ変換サーバ６から取得したＩＤ変換受付ＩＤを通知案内サーバ５に送信する機能を持つ。
【００４６】
通知案内対象条件一致資格取得者一覧送信部４６６は、通知案内サーバ５からの通知案内対象条件抽出要求に対して、科目合格者情報テーブル４１および受験対象比較処理許可情報テーブル４２の情報と、資格情報提供サーバ２から取得した資格情報および受験継続条件を参照・比較し、通知案内対象条件を抽出し、通知案内対象情報の内容（科目合格者ＩＤ、資格ＩＤ、科目ＩＤ、再受験可否）を対象区分変換テーブル４５に格納する機能を持つ。
【００４７】
通信部４７は、ネットワークを通じて通信を行う機能を持つ。
【００４８】
通知案内サーバ５は、資格情報テーブル５１と、受験継続条件テーブル５２と、通知案内条件対象者一覧ファイル５３と、通知案内対象者情報テーブル５４と、通知案内情報テーブル５５と、制御部５６と、通信部５７とを備え、制御部５６は、資格情報／受験継続条件要求部５６１と、通知案内対象情報一覧要求部５６２と、変換後ＩＤ要求部５６３と、通知案内情報生成部５６４と、通知案内情報送信部５６５と、通知案内返信受取部５６６とを備える。
【００４９】
図１１は、資格情報テーブルの一例を示す図である。資格情報テーブル５１には、通知案内サーバ５を介して、科目合格者に通知案内するための資格情報（資格情報提供サーバ２のサーバＩＤ、資格ＩＤ、資格情報、科目ＩＤ、科目情報、施行年月日）が保管される。
【００５０】
図１２は、受験継続条件テーブルの一例を示す図である。受験継続条件テーブル５２には、通知案内対象の情報（資格情報提供サーバ２のサーバＩＤ、資格ＩＤ、科目ＩＤ、再受験可否、受験有効期間（月）、受験有効回数、科目合格数）が保管されている。
【００５１】
通知案内条件対象者一覧ファイル５３には、科目合格者情報保有サーバ４から受け取った通知案内対象条件の一致する科目合格得者情報一覧が保管される。
【００５２】
図１３は、通知案内対象者情報テーブルの一例を示す図である。通知案内対象者情報テーブル５４には、科目合格者へ通知案内するための情報（受験対象者ＩＤ、通知案内用メールアドレス）が保管される。
【００５３】
図１４は、通知案内情報テーブルの一例を示す図である。図１４（ａ）は、更新前の通知案内情報テーブル５５であり、通知案内する資格情報の提供元情報（科目合格者ＩＤ、サーバＩＤ、資格ＩＤ、科目ＩＤ、日時、通知状況、受験通知フラグ）が保管されている。図１４（ｂ）は、更新後の通知案内情報テーブル５５であり、科目合格者への受験通知を行った後に、「通知状況」が「済」となり、また、科目合格者から、通知不要の連絡を受取った場合は、「通知状況」が「不要」へと更新される。
【００５４】
資格情報／受験継続条件要求部５６１は、資格に関する情報およびその詳細情報、科目合格者が受信する受験継続のための条件などの情報を資格情報提供サーバ２から取得する機能を持つ。
【００５５】
通知案内対象情報一覧要求部５６２は、科目合格者が希望する受験再申請のための資格情報の通知案内対象条件に一致する通知案内対象情報一覧などを要求する機能を持つ。
【００５６】
変換後ＩＤ要求部５６３は、科目合格者情報保有サーバ４から通知案内対象条件の一致する科目合格得者情報一覧を受取り、通知案内条件対象者一覧ファイル５３に保管し、さらに、ＩＤ変換サーバ６に対して、科目合格者情報保有サーバ４から受信したＩＤ変換受付ＩＤを送信して変換後ＩＤを要求する。また、変換後ＩＤ要求部５６３は、通知案内情報テーブル５５に、科目合格者ＩＤ、資格情報提供サーバ２のサーバＩＤ、資格ＩＤ、科目ＩＤ、日時、通知状況、受験通知フラグを登録する機能を持つ。
【００５７】
通知案内情報生成部５６４は、通知案内情報テーブル５５に登録された科目合格者の通知案内用メールアドレスを通知案内対象者情報テーブル５４から取得する。また、通知案内情報テーブル５５に登録された資格情報提供サーバ２のサーバＩＤおよび、資格ＩＤ、科目ＩＤより、資格情報テーブル５１を検索し、資格再申請情報を取得し、通知案内情報を生成する機能を持つ。
【００５８】
通知案内情報送信部５６５は、生成した通知案内情報を科目合格者に資格再申請通知案内メッセージとして通知案内用メールアドレスへメール等で送信する。また、通知案内後に、科目合格者端末１１から、再通知不要との返信を受信した場合は、当該資格情報についての通知案内を行わない機能を持つ。
【００５９】
通知案内返信受取部５６６は、科目合格者端末１１に通知案内後、再通知不要との返信を受信した場合、当該資格情報について、通知案内を行わないための通知フラグ（再通知不要）を書き込む機能を持つ。
【００６０】
通信部５７は、ネットワークを通じて通信を行う機能を持つ。
【００６１】
ＩＤ変換サーバ６は、ＩＤ変換受付テーブル６１と、ＩＤ変換テーブル６２と、サーバＩＤ対応テーブル６３と、制御部６４と、通信部６５とを備え、制御部６４は、ＩＤ変換要求受付部６４１と、ＩＤ変換部６４２と、変換後ＩＤ一覧送信部６４３とを備える。
【００６２】
図１５は、ＩＤ変換受付部テーブルの一例を示す図である。ＩＤ変換受付テーブル６１には、科目合格者情報保有サーバ４からの要求に応じて、返信するＩＤ変換受付情報（ＩＤ変換受付ＩＤ、科目合格者情報保有サーバ４のサーバＩＤ、変換前ＩＤ）が保管される。
【００６３】
図１６は、ＩＤ変換テーブルの一例を示す図である。ＩＤ変換テーブル６２には、変換前ＩＤに対応する通知案内サーバ５が管理する科目合格者ＩＤに変換するために必要となるＩＤ変換情報（変換後ＩＤ、科目合格者ＩＤ１、科目合格者ＩＤ２、科目合格者ＩＤ３）が保管される。
【００６４】
図１７は、サーバＩＤ対応テーブルの一例を示す図である。サーバＩＤ対応テーブル６３には、サーバＩＤ対応情報（サーバＩＤ、科目合格者ＩＤ）が保管される。
【００６５】
ＩＤ変換要求受付部６４１は、科目合格者情報保有サーバ４からのＩＤ変換の要求により、ＩＤ変換受付ＩＤを生成する機能を持つ。また、ＩＤ変換要求のあった科目合格者情報保有サーバ４のサーバＩＤと、科目合格者情報保有サーバ４から受取った変換前ＩＤをＩＤ変換受付テーブル６１に登録する機能を持つ。
【００６６】
ＩＤ変換部６４２は、通知案内サーバ５から受取ったＩＤ変換前ＩＤを基に、一致する科目合格者情報保有サーバ４のサーバＩＤと、変換前ＩＤを抽出する機能を持つ。また、取得した科目合格者情報保有サーバ４のサーバＩＤと、変換前ＩＤを基に、利用者ＩＤに変換する機能を持つ。
【００６７】
変換後ＩＤ一覧送信部６４３は、通知案内サーバ５からの変換後ＩＤ要求により、変換を行ったＩＤ一覧を通知案内サーバ５に送信する機能を持つ。
【００６８】
通信部６５は、ネットワークを通じて通信を行う機能を持つ。
【００６９】
以降、各構成要素の動作を処理シーケンスとともに説明する。
【００７０】
図１８は、通知案内システムの事前処理のシーケンスである。
【００７１】
科目合格者情報保有サーバ４は、管理端末１２からの要求により科目合格者情報を科目合格者情報テーブル４１に登録する（ステップＳ００１）。また、科目合格者情報保有サーバ４は、科目合格者端末１１からの要求により受験対象比較処理許可情報を受験対象比較処理許可情報テーブル４２に登録する（ステップＳ００２）。
【００７２】
資格情報提供サーバ２は、資格情報／受験継続条件要求部２３１により、法制度情報提供サーバ３に対して、定期的なタイミングで、法制度情報および資格認定対象条件を要求する（ステップＳ００３）。法制度情報提供サーバ３は、法制度情報／資格認定対象条件送信部３３３により、資格情報提供サーバ２に対して、法制度情報および資格認定対象条件を送信する（ステップＳ００４）。資格情報提供サーバ２は、取得した法制度情報（資格ＩＤ、資格情報、科目ＩＤ、科目情報、新施行年月日）に合わせて自サーバにある資格情報テーブル２２内の情報（資格ＩＤ、資格情報、科目ＩＤ、科目情報、施行年月日）を更新する（ステップＳ００５）。また、資格情報提供サーバ２は、取得した資格認定対象条件（資格ＩＤ、資格情報、科目ＩＤ、科目情報、再受験可否、受験有効期間（月）、受験有効回数、科目合格数）に合わせて自サーバにある受験継続条件テーブル２１内の情報（資格ＩＤ、資格情報、科目ＩＤ、科目情報、再受験可否、受験有効期間（月）、受験有効回数、科目合格数）を更新する。
【００７３】
図１９、図２０は、通知案内システムの処理シーケンスである。
【００７４】
通知案内サーバ５は、資格情報／受験継続条件要求部５６１により、資格情報提供サーバ２に資格情報および受験継続条件を要求する（ステップＳ１０１）。資格情報提供サーバ２は、資格情報／受験継続条件送信部２３３により、資格情報および受験継続条件を通知案内サーバ５に送信する（ステップＳ１０２）。通知案内サーバ５は、資格情報／受験継続条件要求部５６１により、取得した情報に、資格情報提供サーバ２のサーバＩＤを付与して、資格情報テーブル２２および受験継続条件テーブル２１に登録する。また、通知案内サーバ５は、取得した情報が最新の場合は、登録済みの情報の更新を行う。
【００７５】
科目合格者情報保有サーバ４は、資格情報／受験継続条件要求部４６３により、定期的なタイミングで、資格情報提供サーバ２に資格情報および受験継続条件を要求する（ステップＳ１０４）。資格情報提供サーバ２は、資格情報／受験継続条件送信部２３３により、資格情報および受験継続条件を科目合格者情報保有サーバ４に送信する（ステップＳ１０５）。科目合格者情報保有サーバ４は、資格情報／受験継続条件要求部４６３により、取得した情報に資格情報提供サーバ２のサーバＩＤを付与して、資格情報テーブル４３および受験継続条件テーブル４４に登録する（ステップＳ１０６）。また、科目合格者情報保有サーバ４は、取得した情報が最新の場合は、登録済みの情報の更新を行う。
【００７６】
通知案内サーバ５は、通知案内対象情報一覧要求部５６２により、科目合格者情報保有サーバ４に対し、資格再申請情報の通知案内対象条件に一致する通知案内対象条件一致科目合格者情報一覧の抽出処理を要求する（ステップＳ１０７）。
【００７７】
科目合格者情報保有サーバ４は、通知案内対象情報抽出部４６４により、通知案内サーバ５の要求に応じて、通知案内対象に一致する科目合格者情報抽出のため、科目合格者情報テーブル４１、受験対象比較処理許可情報テーブル４２、受験継続条件テーブル４４を検索する（ステップＳ１０８）。具体的には、通知案内対象情報抽出部４６４は、受験回数の有効性を確認するため、受験継続条件テーブル４４の「受験有効回数」が、科目合格者情報テーブル４１の「残受験回数」より多いか判定する。また、通知案内対象情報抽出部４６４は、受験期間の有効性を確認するため、次回受験日が、科目合格者情報テーブル４１の「最初に科目合格した受験日」に受験継続条件テーブル４４の「受験有効期間」を加えた期間の範囲であるか判定する。さらに、通知案内対象情報抽出部４６４は、科目合格数の有効性を確認するため、受験継続条件テーブル４４の「科目合格数」が、科目合格者情報テーブル４１の「科目合格有無」の合計カウント数より多いか判定する。通知案内対象情報抽出部４６４は、受験回数、受験期間、科目合格数の全てが有効である場合、対象区分変換テーブル４５の「再受験可否」に「可」を登録し、受験回数、受験期間、科目合格数の１つでも無効である場合、「再受験可否」に「否（不合格）」を登録する。この時、科目合格者情報保有サーバ４は、その受験対象比較処理を許可しない科目合格者については、検索対象から除外する。これにより、属性項目の公開を許可し、かつ、条件に一致している科目合格者のＩＤのみが抽出され科目合格者の属性値そのものは抽出されない。また、通知案内サーバ５は、科目合格者情報保有サーバ４がどのような属性項目を蓄積しているかを管理する必要がない。
【００７８】
科目合格者情報保有サーバ４は、通知案内対象情報抽出部４６４により、通知案内対象となる科目合格者について、科目合格者情報テーブル４１の属性項目（資格ＩＤ、科目ＩＤ、最初に科目合格した受験日、科目合格有無、有効受験回数）を抽出し、また、資格情報提供サーバ２から取得した受験継続条件テーブル４４の属性項目のうち、受験対象比較処理の許可フラグが有効な属性情報と受験継続条件の内容が一致する情報を抽出して対象区分変換テーブル４５に登録する（ステップＳ１０９）。これにより、科目合格者の状況に最適な通知案内情報を選定することができる。
【００７９】
科目合格者情報保有サーバ４は、ＩＤ変換要求部４６５により、ＩＤ変換サーバ６に対し、変換前ＩＤの一覧を送信し、ＩＤ変換を要求する（ステップＳ１１０）。
【００８０】
ＩＤ変換サーバ６は、ＩＤ変換要求受付部６４１により、科目合格者情報保有サーバ４からの要求に応じて、ＩＤ変換受付ＩＤを払い出し、科目合格者情報保有サーバ４に送信する（ステップＳ１１１）。また、ＩＤ変換サーバ６は、ＩＤ変換受付テーブル６１にＩＤ変換受付ＩＤ、科目合格者情報保有サーバＩＤ、変換前ＩＤの一覧を登録する。
【００８１】
科目合格者情報保有サーバ４は、通知案内対象条件一致資格取得者一覧送信部４６６により、通知案内サーバ５に、ＩＤ変換受付ＩＤと、通知案内対象情報一覧の抽出処理結果（ＩＤ変換受付ＩＤ、科目合格者ＩＤ、資格ＩＤ、科目ＩＤ、再受験可否）を送信する（ステップＳ１１２）。
【００８２】
通知案内サーバ５は、変換後ＩＤ要求部５６３により、科目合格者情報保有サーバ４から、ＩＤ変換受付ＩＤと、通知案内対象条件の一致する科目合格得者情報一覧を受取り、通知案内条件対象者一覧ファイル５３に保管し、さらに、ＩＤ変換サーバ６に対して、科目合格者情報保有サーバ４から受信したＩＤ変換受付ＩＤを送信して変換後ＩＤを要求する（ステップＳ１１３）。
【００８３】
ＩＤ変換サーバ６は、ＩＤ変換部６４２により、通知案内サーバ５からの要求に応じて、受信したＩＤ変換受付ＩＤからＩＤ変換受付テーブル６１を参照し、変換前ＩＤと科目合格者情報保有サーバＩＤを取得する。また、ＩＤ変換部６４２は、ＩＤ変換テーブル６２とサーバＩＤ対応テーブル６３を参照し、変換前ＩＤに対応する通知案内サーバ５が管理する利用者ＩＤに変換する（ステップＳ１１４）。
【００８４】
ＩＤ変換サーバ６は、変換後ＩＤ一覧送信部６４３により、得られた変換後ＩＤの一覧を通知案内サーバ５に送信する（ステップＳ１１５）。
【００８５】
通知案内サーバ５は、変換後ＩＤ要求部５６３により、科目合格者情報保有サーバ４から取得した通知案内対象情報一覧（通知案内条件対象者一覧ファイル５３）を基に、通知案内情報テーブル５５に、科目合格者ＩＤ、資格情報提供サーバ２のサーバＩＤ、資格ＩＤ、科目ＩＤ、日時、通知状況、受験通知フラグを登録する（ステップＳ１１６）。
【００８６】
通知案内サーバ５は、通知案内情報生成部５６４により、通知案内対象者情報テーブル５４に登録している科目合格者の通知案内用メールアドレスを取得し、また、通知案内情報テーブル５５に登録した資格情報提供サーバ２のサーバＩＤ、資格ＩＤ、科目ＩＤ、日時、通知状況、受験通知フラグより、資格情報テーブル５１を検索して資格情報詳細を取得し、資格再申請通知案内メッセージを生成する（ステップＳ１１７）。
【００８７】
通知案内サーバ５は、通知案内情報送信部５６５により、資格再申請通知案内メッセージを、通知案内用メールアドレスへメール等で送信する（ステップＳ１１８）。
【００８８】
科目合格者端末１１は、資格再申請通知案内メッセージを受信し、科目合格者に対してメッセージを表示する（ステップＳ１１９）。これにより、科目合格者（利用者）が再申請を忘れた場合でも、再申請に関する通知案内を行うことが可能となる。
【００８９】
科目合格者端末１１は、受け取った通知案内情報に対して、当該資格情報に対して、再通知が不要の場合、通知案内サーバ５に対して、再通知案内不要のメッセージを返信する（ステップＳ１２０）。
【００９０】
通知案内サーバ５では、通知案内返信受取部５６６により、科目合格者端末１１から、当該資格情報に対する再通知不要のメッセージを受取った場合、通知案内情報テーブル５５の「受験通知フラグ」を「要」から「不要」に書き換える（ステップＳ１２１）。
【００９１】
このように、本実施形態によれば、通知案内サーバ５は、科目合格者情報保有サーバ４に通知案内の送信対象となる利用者を含む通知案内対象情報一覧を要求し、科目合格者情報保有サーバ４は、受験継続条件及び資格認定対象条件を満たす利用者を含む通知案内対象情報一覧を通知案内サーバ５に送信し、通知案内サーバ５は、通知案内対象情報一覧に含まれる利用者に通知案内を送信する。これにより、受験者（利用者）が再申請を忘れた場合でも、再申請に関する通知案内を送信することが可能となる。即ち、科目合格者情報保有サーバ４が、受験継続条件や資格認定対象条件を抽出し、資格の再申請を促すことで、科目合格者の再申請漏れのリスクを抑えることができる。また、通知案内サーバ５が取得する内容は各種システムが保有する科目合格者情報そのものではないため、個人情報の漏えいリスクを抑えることができる。さらに、科目合格情報保有サーバが、通知案内対象条件を取得、抽出することにより、科目合格者の個々の状況に合った情報を通知することができる。
【００９２】
また、通知案内サーバ５は、ＩＤ変換サーバ６により、通知案内対象情報一覧に含まれる利用者のＩＤを自サーバにおけるＩＤに変換する。特に、科目合格者情報保有サーバ４は、受験継続条件及び資格認定対象条件を満たす利用者のＩＤをＩＤ変換サーバ６に送信し、ＩＤ変換サーバ６は、科目合格者情報保有サーバ４に対してＩＤ変換受付ＩＤを送信し、科目合格者情報保有サーバ４は、通知案内対象情報一覧を通知案内サーバ５に送信する際、ＩＤ変換受付ＩＤを通知案内サーバ５に送信し、通知案内サーバ５は、ＩＤ変換サーバ６にＩＤ変換受付ＩＤを送信することにより、通知案内対象情報一覧に含まれる利用者のＩＤを自サーバにおけるＩＤに変換する。これにより、利用者に関する情報を科目合格者情報保有サーバ４及び通知案内サーバ５それぞれで異なるＩＤで管理することが可能になり、情報を一元管理することなく、受験者（利用者）に対して再申請に関する通知案内を送信することが可能となる。また、個人情報の漏えいリスクをさらに抑えることが可能になる。
【００９３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００９４】
１１  科目合格者端末
１２  管理端末
２  資格情報提供サーバ
２１  受験継続条件テーブル
２２  資格情報テーブル
２３  制御部
２３１  資格情報／受験継続条件要求部
２３２  資格情報／受験継続条件抽出部
２３３  資格情報／受験継続条件送信部
２４  通信部
３  法制度情報提供サーバ
３１  法制度情報テーブル
３２  資格認定対象条件テーブル
３３  制御部
３３１  法制度情報／資格認定対象条件要求受付部
３３２  法制度情報／資格認定対象条件抽出部
３３３  法制度情報／資格認定対象条件送信部
３４  通信部
４  科目合格者情報保有サーバ
４１  科目合格者情報テーブル
４２  受験対象比較処理許可情報テーブル
４３  資格情報テーブル
４４  受験継続条件テーブル
４５  対象区分変換テーブル
４６  制御部
４６１  科目合格者情報取得部
４６２  受験対象比較処理許可情報取得部
４６３  資格情報／受験継続条件要求部
４６４  通知案内対象情報抽出部
４６５  ＩＤ変換要求部
４６６  通知案内対象条件一致資格取得者一覧送信部
４７  通信部
５  通知案内サーバ
５１  資格情報テーブル
５２  受験継続条件テーブル
５３  通知案内条件対象者一覧ファイル
５４  通知案内対象者情報テーブル
５５  通知案内情報テーブル
５６  制御部
５６１  資格情報／受験継続条件要求部
５６２  通知案内対象情報一覧要求部
５６３  変換後ＩＤ要求部
５６４  通知案内情報生成部
５６５  通知案内情報送信部
５６６  通知案内返信受取部
５７  通信部
６  ＩＤ変換サーバ
６１  ＩＤ変換受付テーブル
６２  ＩＤ変換テーブル
６３  サーバＩＤ対応テーブル
６４  制御部
６４１  ＩＤ変換要求受付部
６４２  ＩＤ変換部
６４３  変換後ＩＤ一覧送信部
６５  通信部
【図１】
2014021844.tif 000003
【図２】
2014021844.tif 000004
【図３】
2014021844.tif 000005
【図４】
2014021844.tif 000006
【図５】
2014021844.tif 000007
【図６】
2014021844.tif 000008
【図７】
2014021844.tif 000009
【図８】
2014021844.tif 000010
【図９】
2014021844.tif 000011
【図１０】
2014021844.tif 000012
【図１１】
2014021844.tif 000013
【図１２】
2014021844.tif 000014
【図１３】
2014021844.tif 000015
【図１４】
2014021844.tif 000016
【図１５】
2014021844.tif 000017
【図１６】
2014021844.tif 000018
【図１７】
2014021844.tif 000019
【図１８】
2014021844.tif 000020
【図１９】
2014021844.tif 000021
【図２０】
2014021844.tif 000022